(57)【要約】      （修正有）【課題】無線ＬＡＮのアドホックモードにおいて、通信環境に応じて使用チャンネルを変更し、安定して高速な通信を行う事を可能にする無線通信システムを提供する。【解決手段】サーバ側無線画像表示端末１０１は、無線端末数リストを作成し、無線端末数が最小のチャンネルを検出する。サーバ識別ＩＤに加え、チャンネル情報、シーケンス番号を更新したＳＳＩＤ文字列を作成し、ＳＳＩＤとチャンネルを設定する。クライアント側無線情報端末１０３は、ＳＳＩＤリストを作成し、無線画像表示端末１０１の識別ＩＤを含むＳＳＩＤを検出する。検出されたＳＳＩＤに含まれるシーケンス番号と、現在設定されているＳＳＩＤに含まれるシーケンス番号とを比較し、シーケンス番号が更新されている場合には、検出されたＳＳＩＤからチャンネル情報を抽出し、ＳＳＩＤとチャンネルを設定する。【選択図】図１
2009267903.tif 000002
【特許請求の範囲】
【請求項１】
複数のクライアント側無線端末が、サーバ側無線端末に対してデータの送受信を行うにあたり、複数の通信チャンネルの中のいずれかのチャンネルを選択使用する無線通信システムであって、
前記サーバ側無線端末は、
通信環境中の全ての無線端末からのビーコンまたはプローブレスポンスから、前記通信環境で使用される通信パラメータ内のチャンネル情報を抽出し、各チャンネルごとの無線端末数のリストを作成する無線端末数リスト作成部と、
前記無線端末数リストから、無線端末数が少ない通信チャンネルを検出するチャンネル検出部と、
前記サーバ側無線端末を特定する固有の識別ＩＤを生成する識別ＩＤ生成部と、
前記識別ＩＤ生成部で生成された識別ＩＤと前記チャンネル検出部で検出された通信チャンネルにシーケンス番号を付加したＳＳＩＤの文字列を生成するＳＳＩＤ生成部と、
前記チャンネル検出部により検出された通信チャンネルと、前記ＳＳＩＤ生成部により生成されたＳＳＩＤを設定する無線設定部と、を含んで構成され、
前記クライアント側無線端末は、
ＳＳＩＤの検索を行いＳＳＩＤリストを作成するＳＳＩＤリスト作成部と、
前記ＳＳＩＤリスト作成部により作成されたＳＳＩＤリストから、現在接続している前記サーバ側無線端末の識別ＩＤを含むＳＳＩＤを検出し、チャンネル、シーケンス番号情報を抽出するサーバＳＳＩＤ検出部と、
前記サーバＳＳＩＤ検出部により抽出された第１のシーケンス番号と、現在接続中のＳＳＩＤ内に含まれる、第２のシーケンス番号とを比較するシーケンス番号比較部と、
前記サーバＳＳＩＤ検出部により検出されたＳＳＩＤ、チャンネルを設定する無線設定部と、を含んで構成され、
前記クライアント側無線端末は、接続しているサーバ側無線端末の識別ＩＤが含まれたＳＳＩＤが検出された場合、前記シーケンス番号比較部によりシーケンス番号を比較し、シーケンス番号が更新されていた場合には、前記無線設定部により、サーバ側無線端末のＳＳＩＤとチャンネルを再設定する事を特徴とする無線通信システム。
【請求項２】
前記サーバ側無線端末は、定期的にチャンネルを検出し、無線端末数が少ないチャンネルに切り替え、前記クライアント側無線端末は、サーバ側無線端末のチャンネル変更に追従する事を特徴とする請求項１記載の無線通信システム。
【請求項３】
チャンネル検出部が検出するチャンネルは、無線端末数リストにおいて無線端末数が最も少ないチャンネルである事を特徴とする請求項１または請求項２記載の無線通信システム。
【請求項４】
クライアント側無線端末はパーソナルコンピュータ、サーバ側無線端末はプロジェクタである事を特徴とする請求項１から請求項３のいずれかに記載の無線通信システム。
【請求項５】
複数のクライアント側無線端末が、サーバ側無線端末に対してデータの送受信を行うにあたり、複数の通信チャンネルの中のいずれかの通信チャンネルを選択使用する無線通信方法であって、
前記サーバ側無線端末が、
通信環境中の全ての無線端末からのビーコンまたはプローブレスポンスから、ＤＳパラメータ内のチャンネル情報を抽出し、各チャンネルごとの無線端末数のリストを作成する無線端末数リスト作成ステップと、
前記無線端末数リストから、無線端末数が少ない通信チャンネルを検出するチャンネル検出ステップと、
前記サーバ側無線端末を特定する固有の識別ＩＤを生成する識別ＩＤ生成ステップと、
前記識別ＩＤ生成ステップで生成された識別ＩＤと前記チャンネル検出ステップで検出された通信チャンネルにシーケンス番号を付加したＳＳＩＤの文字列を生成するＳＳＩＤ生成ステップと、
前記チャンネル検出ステップにより検出された通信チャンネルと、前記ＳＳＩＤ生成ステップにより生成されたＳＳＩＤを設定する無線設定ステップと、を有し、
前記クライアント側無線端末が、
ＳＳＩＤの検索を行いＳＳＩＤリストを作成するＳＳＩＤリスト作成ステップと、
前記ＳＳＩＤリスト作成ステップにより作成されたＳＳＩＤリストから、現在接続している前記サーバ側無線端末の識別ＩＤを含むＳＳＩＤを検出し、チャンネル、シーケンス番号情報を抽出するサーバＳＳＩＤ検出ステップと、
前記サーバＳＳＩＤ検出ステップにより抽出された第１のシーケンス番号と、現在接続中のＳＳＩＤ内に含まれる、第２のシーケンス番号とを比較するシーケンス番号比較ステップと、
前記サーバＳＳＩＤ検出ステップにより検出されたＳＳＩＤ、チャンネルを設定する無線設定ステップと、を含んで構成され、
前記クライアント側無線端末は、接続しているサーバ側無線端末の識別ＩＤが含まれたＳＳＩＤが検出された場合、前記シーケンス番号比較ステップによりシーケンス番号を比較し、シーケンス番号が更新されていた場合には、前記無線設定ステップにより、サーバ側無線端末のＳＳＩＤとチャンネルを再設定する事を特徴とする無線通信方法。
【発明の詳細な説明】
【技術分野】
【０００１】
本発明は、無線ＬＡＮ（Local Area Network）のアドホックモード（ad hoc mode）において、通信環境に応じて使用チャンネルを変更し、安定して高速な通信を行う事を可能にする無線通信システムおよび無線通信方法に関する。
【背景技術】
【０００２】
従来、通信環境に応じて使用チャンネルを変更させる無線通信システムに関しては、ビーコンフレーム中に情報を埋め込む事で、通信状況の良い無線基地局を選択させるようにしたもの（特許文献１参照）や、無線交換局に使用チャンネル情報を登録し、無線交換局が空きチャンネルを割り当てるようにしたもの（特許文献２参照）が知られている。
【特許文献１】特開２００５−１５９４８８号公報
【特許文献２】特開平０９−２７１０６３号公報
【発明の開示】
【発明が解決しようとする課題】
【０００３】
ところで、特許文献１では、アクセスポイント自身がチャンネルを決定し、クライアント側無線端末は必ずそれに従うインフラストラクチャーモード（infrastructure mode）とは異なり、一番最初に起動した無線端末の決定するチャンネルに固定されるアドホックモードでそれを実現する事は不可能であった。また、特許文献２では、別途使用チャンネルを登録するための無線交換局が必要になるという課題があった。
【０００４】
本発明は、上記実情に鑑みてなされたものであり、無線ＬＡＮのアドホックモードにおいて、通信環境に応じて使用チャンネルを変更し、安定して高速な通信を行う事を可能にする無線通信システムを提供する事を目的とする。
【課題を解決するための手段】
【０００５】
この課題を解決するために本発明の無線通信システムは、
複数のクライアント側無線端末が、サーバ側無線端末に対してデータの送受信を行うにあたり、複数の通信チャンネルの中のいずれかのチャンネルを選択使用する無線通信システムにおいて、
前記サーバ側無線端末は、
通信環境中の全ての無線端末からのビーコンまたはプローブレスポンスから、前記通信環境で使用される通信パラメータ内のチャンネル情報を抽出し、各チャンネルごとの無線端末数のリストを作成する無線端末数リスト作成部と、
前記無線端末数リストから、無線端末数が少ない通信チャンネルを検出するチャンネル検出部と、
前記サーバ側無線端末を特定する固有の識別ＩＤを生成する識別ＩＤ生成部と、
前記識別ＩＤ生成部で生成された識別ＩＤと前記チャンネル検出部で検出された通信チャンネルにシーケンス番号を付加したＳＳＩＤ（Service Set Identifier）の文字列を生成するＳＳＩＤ生成部と、
前記チャンネル検出部により検出された通信チャンネルと、前記ＳＳＩＤ生成部により生成されたＳＳＩＤを設定する無線設定部とを備え、
前記クライアント側無線端末は、
ＳＳＩＤの検索を行いＳＳＩＤリストを作成するＳＳＩＤリスト作成部と、
前記ＳＳＩＤリスト作成部により作成されたＳＳＩＤリストから、現在接続している前記サーバ側無線端末の識別ＩＤを含むＳＳＩＤを検出し、チャンネル、シーケンス番号情報を抽出するサーバＳＳＩＤ検出部と、
前記サーバＳＳＩＤ検出部により抽出された第１のシーケンス番号と、現在接続中のＳＳＩＤ内に含まれる、第２のシーケンス番号とを比較するシーケンス番号比較部と、
前記サーバＳＳＩＤ検出部により検出されたＳＳＩＤ、チャンネルを設定する無線設定部とを備え、
前記クライアント側無線端末は、接続しているサーバ側無線端末の識別ＩＤが含まれたＳＳＩＤが検出された場合、前記シーケンス番号比較部によりシーケンス番号を比較し、シーケンス番号が更新されていた場合には、前記無線設定部により、サーバ側無線端末のＳＳＩＤとチャンネルを再設定することを特徴とする。
【発明の効果】
【０００６】
以上のように、本発明によれば、無線ＬＡＮのアドホックモードにおいて、通信環境に応じて使用チャンネルを変更し、安定して高速な通信を行う事が出来るという有利な効果が得られる。
【発明を実施するための最良の形態】
【０００７】
以下、本発明の実施の形態について、図を用いて説明する。
【０００８】
（実施の形態１）
図１は、本発明の一実施の形態の無線通信システムを含む無線通信環境を示す説明図である。無線通信環境１００は、サーバとなる無線画像表示端末１０１、クライアントとなる無線情報端末１０３とで構成される無線通信システム以外に、他の無線情報端末１０５、１０７、１０９等が設置されているワイヤレスネットワーク環境である。
【０００９】
無線画像表示端末１０１は、例えばプロジェクターであり、通信部１０２には、無線ＬＡＮモジュールが内蔵されている。
【００１０】
通信部１０２は、無線情報端末１０３、１０５、１０７、１０９との通信を行うものであり、各パケットの送受信に使用される。
【００１１】
無線情報端末１０３、１０５、１０７、１０９は、例えばパーソナルコンピュータであり、各無線情報端末の通信部１０４、１０６、１０８、１１０には、無線ＬＡＮモジュールが内蔵もしくは、スロットを介して外付けされている。
【００１２】
通信部１０４、１０６、１０８、１１０は、無線画像表示端末１０１を含む各無線端末との通信を行うものであり、各パケットの送受信に使用される。
【００１３】
無線画像表示端末１０１と無線情報端末１０３、無線情報端末１０５、１０７、１０９とは、それぞれアドホックモードにて通信を行っている。
【００１４】
アドホックモードでは、各無線端末が自身のＳＳＩＤ情報をビーコンにのせて定期的に送信している一方で、定期的に各チャンネルのスキャンを行って同一のＳＳＩＤを持つ無線端末を探索し、同一のＳＳＩＤが検出された場合には、ＳＳＩＤが検出されたそのチャンネルで通信を開始する。
【００１５】
また、スキャンの結果、同一のＳＳＩＤが検出されなかった場合には、現在その無線端末に設定されているチャンネルで通信を開始する。そのため、そのＳＳＩＤで最初に起動した無線端末が設定するチャンネルに、そのＳＳＩＤで後から起動した無線端末が従うということになる。
【００１６】
図２は、無線画像表示端末１０１の構成の一部を概略的に示すブロック図である。無線画像表示端末１０１は、制御部２０１、通信部２０２、無線端末数リスト作成部２０３、チャンネル検出部２０４、チャンネル番号比較部２０５、識別ＩＤ生成部２０６、ＳＳＩＤ生成部２０７、無線設定部２０８を備える。
【００１７】
制御部２０１は、各部分からの情報を受けて、次に行うべき処理を判断する部分である。
【００１８】
通信部２０２は、ビーコン等の各パケットの送受信を行う部分である。
【００１９】
無線端末数リスト作成部２０３は、各チャンネルでプローブ要求を行い、それに対するプローブ応答を受信し、その受信したプローブ応答内のＤＳ（Direct Sequence）パラメータに含まれるチャンネル情報を取得する事で、各チャンネルごとに含まれる無線端末数を測定し登録する部分である。
【００２０】
なお、ＤＳパラメータは、無線ＬＡＮの規格ＩＥＥＥ８０２．１１で規定される管理フレーム情報エレメントの一つであり、無線通信環境で使用するチャンネル番号が格納されている通信パラメータである。
【００２１】
チャンネル検出部２０４は、無線端末数リスト作成部２０３により作成されたリストを基に、無線端末数が最小であるチャンネルを検出する部分である。
【００２２】
チャンネル番号比較部２０５は、チャンネル検出部２０４により検出されたチャンネル番号と現在設定されているチャンネル番号の比較を行う部分である。
【００２３】
識別ＩＤ生成部２０６は、その端末固有のＩＤを生成する部分である。
【００２４】
ＳＳＩＤ生成部２０７は、識別ＩＤ生成部２０６で生成された識別ＩＤ、チャンネル検出部２０４により検出されたチャンネル番号に、シーケンス番号を加えてＳＳＩＤを生成する部分である。
【００２５】
無線設定部２０８は、通信を行うチャンネルとＳＳＩＤを無線ＬＡＮアダプター（図示せず）に設定する部分である。
【００２６】
図３は、無線画像表示端末１０１に付属されているアプリケーションを無線情報端末１０３にインストールすることで導入されるソフトウェアの一部を概略的に示すブロック図である。無線情報端末１０３は、制御部２１１、通信部２１２、ＳＳＩＤリスト作成部２１３、サーバＳＳＩＤ検出部２１４、チャンネル番号抽出部２１５、シーケンス番号抽出部２１６、シーケンス番号比較部２１７、無線設定部２１８を備える。
【００２７】
制御部２１１は、各部分からの情報を受けて、次に行うべき処理を判断する部分である。
【００２８】
通信部２１２は、ビーコン等の各パケットの送受信を行う部分である。
【００２９】
ＳＳＩＤリスト作成部２１３は、各チャンネルでプローブ要求を行い、それに対するプローブ応答を受信し、その受信したプローブ応答内のＤＳパラメータに含まれるＳＳＩＤ情報を取得する事で、周囲に存在する無線端末のＳＳＩＤのリストを作成する部分である。
【００３０】
サーバＳＳＩＤ検出部２１４は、ＳＳＩＤリスト作成部２１３により作成されたＳＳＩＤのリストの中に、現在接続しているサーバの識別ＩＤを含むＳＳＩＤが存在するかどうかを検出する部分である。
【００３１】
チャンネル番号抽出部２１５は、サーバＳＳＩＤ検出部２１４で検出されたＳＳＩＤ内に含まれるチャンネル番号を抽出する部分である。
【００３２】
シーケンス番号抽出部２１６は、サーバＳＳＩＤ検出部２１４で検出されたＳＳＩＤ内に含まれるシーケンス番号を抽出する部分である。
【００３３】
シーケンス番号比較部２１７は、サーバＳＳＩＤ検出部２１４で検出されたＳＳＩＤ内に含まれるシーケンス番号が、現在設定されているＳＳＩＤ内に含まれるシーケンス番号から更新されているかどうかの比較を行う部分である。
【００３４】
無線設定部２１８は、チャンネルとＳＳＩＤを無線ＬＡＮアダプターに設定する部分である。
【００３５】
以上のように構成された本実施の形態の無線通信システムにおける実際のシーケンスを図４〜８を用いて説明する。
【００３６】
図４、５は、サーバとなる無線画像表示端末１０１のチャンネル決定プログラムを、フローチャートにより示している。図４は、メインフロー、図５は、無線端末数リスト作成処理Ｓ３０２、Ｓ３０６の詳細なフローに相当する。
【００３７】
サーバとなる無線画像表示端末１０１は、起動すると制御部２０１からの命令により、端末固有となる識別ＩＤを生成する（Ｓ３０１）。
【００３８】
次に、各チャンネルごとの無線端末数を測定するために、制御部２０１から、無線端末数リスト作成部２０３に対して、無線端末数リストの作成が要求される（Ｓ３０２）。
【００３９】
無線端末数リスト作成部２０３は、リスト作成が要求されると、無線設定部２０８に対してチャンネルを‘１’にするように命令する（Ｓ３１１）。
【００４０】
チャンネル設定後、通信部２０２を使用してプローブ要求を送信する（Ｓ３１２）。
【００４１】
プローブ要求が送信されると、チャンネル１に存在するアドホックモードの無線端末並びにアクセスポイントは、ＳＳＩＤやチャンネル等の情報を含んだプローブ応答を返す。無線情報端末１０５、１０７、１０９がチャンネル１でアドホックモードで通信を行っていた場合、無線情報端末１０５、１０７、１０９は通信部１０６、１０８、１１０を使用して、プローブ応答を返す。
【００４２】
無線画像表示端末１０１は、通信部２０２を使用して、無線情報端末１０５、１０７、１０９が送信したプローブ応答を受信する（Ｓ３１３）。
【００４３】
受信したプローブ応答のデータは、無線端末数リスト作成部２０３に送られ、無線端末数リスト作成部２０３はデータ内のＤＳパラメータ内に含まれるチャンネル情報を取得する（Ｓ３１４）。
【００４４】
無線ＬＡＮの通信規格がＩＥＥＥ８０２．１１ｂあるいはＩＥＥＥ８０２．１１ｇの場合、近接するチャンネルの場合、違うチャンネルのプローブ要求やプローブ応答を受信してしまう事があるため、取得したチャンネル情報が現在のチャンネルと同じであるかどうか確認する（Ｓ３１５）。
【００４５】
取得したチャンネル情報が現在のチャンネルと同じであった場合、端末数を加算する（Ｓ３１６）。
【００４６】
Ｓ３１３からＳ３１５までを、ある規定時間、例えば５００ｍｓまで繰り返し、都度規定時間に達しているかを確認する（Ｓ３１７）。
【００４７】
規定時間に達した場合には、無線設定部２０８に対して次のチャンネルである‘２’にするように命令する（Ｓ３１８）。
【００４８】
Ｓ３１２からＳ３１７までをチャンネル１３まで繰り返し、チャンネル１３まで行うと、無線端末数リスト作成処理は終了する（Ｓ３１９）。
【００４９】
無線端末数リスト作成部２０３により無線端末数リスト作成処理が終了すると、制御部２０１は、チャンネル検出部２０４に対して、無線端末数が最も少ないチャンネルの検出を要求し、要求されたチャンネル検出部２０４は、無線端末数リスト作成部２０３により作成されたリストを基に、無線端末数が最も少ないチャンネルを検出する（Ｓ３０３）。
【００５０】
チャンネル検出部２０４により、最も無線端末数が少ないチャンネルが検出されると、制御部２０１は、ＳＳＩＤ生成部２０７に対して、識別ＩＤ生成部２０６により生成された識別ＩＤとチャンネル検出部２０４により検出されたチャンネル番号を含むＳＳＩＤ文字列を生成するように命令する。
【００５１】
ＳＳＩＤ生成部２０７は、識別ＩＤ生成部２０６により生成された識別ＩＤとチャンネル検出部２０４により検出されたチャンネル番号に、シーケンス番号を付加したＳＳＩＤ文字列を生成する（Ｓ３０４）。
【００５２】
図６はＳＳＩＤの一例を示すもので、４０１がサーバ識別ＩＤ、４０２がチャンネル番号、４０３がシーケンス番号である。
【００５３】
ＳＳＩＤ生成部２０７によりＳＳＩＤ文字列が生成されると、制御部２０１は、ＳＳＩＤ生成部２０７により生成されたＳＳＩＤとチャンネル検出部２０４により検出されたチャンネルを設定するように無線設定部２０８に命令する。
【００５４】
無線設定部２０８は、ＳＳＩＤ生成部２０７により生成されたＳＳＩＤとチャンネル検出部２０４により検出されたチャンネルを設定する（Ｓ３０５）。
【００５５】
常に良好なチャンネルでの通信を可能にするために、規定時間毎にＳ３０６からＳ３１０を繰り返す。
【００５６】
規定時間経過後、制御部２０１の命令により、Ｓ３０６、Ｓ３０７を実行する。Ｓ３０６、Ｓ３０７はそれぞれ、Ｓ３０２、Ｓ３０３の処理に相当する。
【００５７】
Ｓ３０７で、チャンネル検出部２０４により最も無線端末数が少ないチャンネルが検出されると、制御部２０１は、チャンネル番号比較部２０５により、チャンネル検出部２０４により検出されたチャンネル番号と現在のチャンネル番号の比較を行うように命令する。
【００５８】
チャンネル番号比較部２０５は、チャンネル検出部２０４により検出されたチャンネル番号と現在のチャンネル番号の比較を行う（Ｓ３０８）。
【００５９】
比較の結果、チャンネル番号が異なっていた場合には、制御部２０１は、ＳＳＩＤ生成部２０７に対して、チャンネル検出部２０４により新たに検出されたチャンネル番号に変更したＳＳＩＤ文字列を生成するように命令する。
【００６０】
ＳＳＩＤ生成部２０７は、現在設定されているＳＳＩＤ文字列中のチャンネル番号をチャンネル検出部２０４により新たに検出されたチャンネル番号に変更し、さらに、現在設定されているＳＳＩＤ文字列中のシーケンス番号を、現在のシーケンス番号に‘１’を加算した番号に変更したＳＳＩＤ文字列を生成する（Ｓ３０９）。
【００６１】
ＳＳＩＤ生成部２０７によりＳＳＩＤ文字列が生成されると、制御部２０１は、Ｓ３０５に相当する処理を実行し、ＳＳＩＤ、チャンネルの設定を変更する（Ｓ３１０）。
【００６２】
図７、８は、クライアントとなる無線情報端末１０３の、サーバとなる無線画像表示端末１０１のチャンネル変更に追従するプログラムをフローチャートにより示している。
【００６３】
図７はメインフロー、図８はＳＳＩＤリスト作成処理Ｓ３２１、Ｓ３２５の詳細なフローに相当する。
【００６４】
クライアントとなる無線情報端末１０３がソフトウェアを起動すると、制御部２１１の命令により、ＳＳＩＤリスト作成部２１３に対して、周囲に存在する無線端末のＳＳＩＤのリストの作成が要求される（Ｓ３２１）。
【００６５】
ＳＳＩＤリスト作成部２１３は、リスト作成が要求されると、無線設定部２１８に対してチャンネルを‘１’にするように命令する（Ｓ３３１）。
【００６６】
チャンネル設定後、通信部２１２を使用してプローブ要求を送信する（Ｓ３３２）。
【００６７】
プローブ要求が送信されると、チャンネル１に存在するアドホックモードの無線端末並びにアクセスポイントは、ＳＳＩＤやチャンネル等の情報を含んだプローブ応答を返す。
【００６８】
１０５、１０７、１０９がチャンネル１でアドホックモードで通信を行っていた場合、無線情報端末１０５、１０７、１０９は通信部１０６、１０８、１１０を使用して、プローブ応答を返す。
【００６９】
無線情報端末１０３は、通信部２１２を使用して、無線情報端末１０５、１０７、１０９が送信したプローブ応答を受信する（Ｓ３３３）。
【００７０】
受信したプローブ応答のデータは、ＳＳＩＤリスト作成部２１３に送られ、ＳＳＩＤリスト作成部２１３は、データ内に含まれるＳＳＩＤ情報を取得し、リストに追加する（Ｓ３３４）。
【００７１】
Ｓ３３２からＳ３３４までを、ある規定時間まで繰り返し、都度規定時間に達しているかを確認する（Ｓ３３５）。
【００７２】
規定時間に達した場合には、無線設定部２１８に対して次のチャンネルである‘２’にするように命令する（Ｓ３３６）。
【００７３】
Ｓ３３２からＳ３３６までをチャンネル１３まで繰り返し、チャンネル１３まで行うと、ＳＳＩＤリスト作成は終了する（Ｓ３３７）。
【００７４】
ＳＳＩＤリスト作成部２１３によりＳＳＩＤリスト作成処理が終了すると、制御部２１１は、サーバＳＳＩＤ検出部２１４に対して、サーバとなる無線画像表示端末１０１の識別ＩＤを含むＳＳＩＤを探索するように命令する。
【００７５】
サーバＳＳＩＤ検出部２１４は、ＳＳＩＤリスト作成部２１３により作成されたリストからサーバとなる無線画像表示端末１０１の識別ＩＤを含むＳＳＩＤを探索する（Ｓ３２２）。
【００７６】
サーバＳＳＩＤ検出部２１４により、サーバとなる無線画像表示端末１０１の識別ＩＤを含むＳＳＩＤが検出されると、制御部２１１は、チャンネル番号抽出部２１５に、サーバＳＳＩＤ検出部２１４により検出された、サーバとなる無線画像表示端末１０１の識別ＩＤを含むＳＳＩＤ文字列から、チャンネル番号を抽出するように命令する。
【００７７】
チャンネル番号抽出部２１５は、サーバとなる無線画像表示端末１０１の識別ＩＤを含むＳＳＩＤ文字列から、チャンネル番号を抽出する（Ｓ３２３）。
【００７８】
チャンネル番号抽出部２１５によりチャンネル番号が抽出されると、サーバＳＳＩＤ検出部２１４により検出されたサーバとなる無線画像表示端末１０１の識別ＩＤを含むＳＳＩＤとチャンネル番号抽出部２１５により抽出されたチャンネルを設定するように無線設定部２１８に対して命令する。
【００７９】
無線設定部２１８は、サーバＳＳＩＤ検出部２１４により検出されたサーバとなる無線画像表示端末１０１の識別ＩＤを含むＳＳＩＤとチャンネル番号抽出部２１５により抽出されたチャンネルを設定する（Ｓ３２４）。
【００８０】
サーバとなる無線画像表示端末１０１のチャンネル変化に追従するために、規定時間毎にＳ３２５からＳ３２９を繰り返す。
【００８１】
規定時間経過後、制御部２１１の命令により、Ｓ３２５、Ｓ３２６を実行する。Ｓ３２５、Ｓ３２６はそれぞれ、Ｓ３２１、Ｓ３２２の処理に相当する。
【００８２】
Ｓ３２６で、サーバＳＳＩＤ検出部２１４によりサーバＳＳＩＤが検出されると、制御部２１１は、シーケンス番号抽出部２１５に対して、現在設定されているＳＳＩＤとサーバＳＳＩＤ検出部２１４により検出されたサーバＳＳＩＤのそれぞれのＳＳＩＤからシーケンス番号を抽出するように命令する。
【００８３】
シーケンス番号抽出部２１５は、現在設定されているＳＳＩＤとサーバＳＳＩＤ検出部２１４により検出されたサーバＳＳＩＤのそれぞれのＳＳＩＤからシーケンス番号を抽出する。
【００８４】
制御部２１１は、シーケンス番号比較部２１６に対して、シーケンス番号抽出部２１５により抽出された、現在設定されているＳＳＩＤに含まれるシーケンス番号とサーバＳＳＩＤ検出部２１４により検出されたサーバＳＳＩＤに含まれるシーケンス番号との比較を行うように命令する。
【００８５】
シーケンス番号比較部２１６は、シーケンス番号抽出部２１５により抽出された、現在設定されているＳＳＩＤに含まれるシーケンス番号とサーバＳＳＩＤ検出部２１４により検出されたサーバＳＳＩＤに含まれるシーケンス番号の比較を行う（Ｓ３２７）。
【００８６】
比較の結果、シーケンス番号が更新されていた場合には、制御部２１１の命令により、Ｓ３２８、Ｓ３２９を実行する。Ｓ３２８、Ｓ３２９はそれぞれ、Ｓ３２３、Ｓ３２４の処理に相当する。
【００８７】
従って、無線ＬＡＮのアドホックモードにおいて、シーケンス番号を比較するだけで、通信環境に応じて使用チャンネルを変更し、安定して高速な通信を行う事が出来る。
【００８８】
従って、図１で示すように、無線通信システムが複数ある無線通信環境においても、安定して高速な通信を行う事が出来る。
【００８９】
なお、本実施の形態では、チャンネル検出部２０４が最も無線端末が少ないチャンネルを検出するようにしたが、そのチャンネル通信状況が悪いなどの場合、他の少ないチャンネルを検出するようにしてもよい。
【産業上の利用可能性】
【００９０】
本発明の無線通信システムは、無線ＬＡＮのアドホックモードにおいて、通信環境に応じて使用チャンネルを変更し、安定して高速な通信を行う事が出来るため、複数のクライアント側無線端末が、サーバ側無線端末に対してデータの送受信を行うにあたり、複数の通信チャンネルの中のいずれかの通信チャンネルを選択使用するような無線通信システムに有用である。
【図面の簡単な説明】
【００９１】
【図１】本発明の一実施の形態の無線通信環境を示す説明図
【図２】本発明の一実施の形態の無線画像表示端末の概略を示すブロック図
【図３】本発明の一実施の形態の無線情報端末の概略を示すブロック図
【図４】本発明の一実施の形態の無線画像表示端末のチャンネル決定シーケンス図
【図５】本発明の一実施の形態の無線画像表示端末の無線端末数リスト作成シーケンス図
【図６】本発明の一実施の形態のＳＳＩＤの一例を示す図
【図７】本発明の一実施の形態の無線情報端末のチャンネル追従シーケンス図
【図８】本発明の一実施の形態の無線情報端末のＳＳＩＤリスト作成シーケンス図
【符号の説明】
【００９２】
１０１  無線画像表示端末
１０２、１０４、１０６、１０８、１１０  通信部
１０３、１０５、１０７、１０９  無線情報端末
２０１、２１１  制御部
２０２、２１２  通信部
２０３  無線端末数リスト作成部
２０４  チャンネル検出部
２０５  チャンネル番号比較部
２０６  識別ＩＤ生成部
２０７  ＳＳＩＤ生成部
２０８、２１８  無線設定部
２１３  ＳＳＩＤリスト作成部
２１４  サーバＳＳＩＤ検出部
２１５  チャンネル番号抽出部
２１６  シーケンス番号抽出部
２１７  シーケンス番号比較部
４０１  サーバ識別ＩＤ
４０２  チャンネル番号
４０３  シーケンス番号
【図１】
2009267903.tif 000003
【図２】
2009267903.tif 000004
【図３】
2009267903.tif 000005
【図４】
2009267903.tif 000006
【図５】
2009267903.tif 000007
【図６】
2009267903.tif 000008
【図７】
2009267903.tif 000009
【図８】
2009267903.tif 000010